(57)【要約】【課題】操作釦の応答を表す表示灯の点灯／不点灯を検出し、点灯すべき時に不点灯の場合に別の報知手段にて応答の報知を行うエレベータの表示灯付操作釦制御装置等を得る。【解決手段】エレベータの乗場操作盤またはかご内操作盤に設けられエレベータに運転指示を行うために操作される操作釦(５)と、前記操作釦の操作に対する応答を表示する表示灯(６)と、前記表示灯の点灯／不点灯を検出する光検出手段(７)と、前記表示灯の不点灯の異常を報知する報知手段(３００)と、前記操作釦が操作された時には前記表示灯に対して点灯指令を行い、前記操作釦が操作されて点灯指令を行った時に、前記光検出手段の検出結果が不点灯であった場合に前記報知手段に不点灯の異常を報知させる報知指令を行う制御手段(１００)と、を備えた。【選択図】図３
2013227091.tif 000002
【特許請求の範囲】
【請求項１】
エレベータの乗場操作盤またはかご内操作盤に設けられエレベータに運転指示を行うために操作される操作釦と、
前記操作釦の操作に対する応答を表示する表示灯と、
前記表示灯の点灯／不点灯を検出する光検出手段と、
前記表示灯の不点灯の異常を報知する報知手段と、
前記操作釦が操作された時には前記表示灯に対して点灯指令を行い、前記操作釦が操作されて点灯指令を行った時に、前記光検出手段の検出結果が不点灯であった場合に前記報知手段に不点灯の異常を報知させる報知指令を行う制御手段と、
を備えたことを特徴とするエレベータの表示灯付操作釦制御装置。
【請求項２】
前記操作釦、前記表示灯、前記光検出手段が互いに並列にかつ電源とそれぞれ直列に接続され、
前記制御手段が、
前記操作釦のグランド側の電位から操作の有無を判定し、
前記表示灯のグランド側の電位をグランドさせて点灯指令を行い、
前記光検出手段のグランド側の電位から点灯／不点灯を判定する、
ことを特徴とする請求項１に記載のエレベータの表示灯付操作釦制御装置。
【請求項３】
前記制御手段が、前記操作釦に関する運転動作が終了するまで前記点灯指令を続け、前記点灯指令を行っている間、前記操作釦が操作される度に報知指令を行うことを特徴とする請求項１または２に記載のエレベータの表示灯付操作釦制御装置。
【請求項４】
エレベータの乗場操作盤またはかご内操作盤に設けられエレベータに運転指示を行うために操作される操作釦が操作された時には前記操作釦の操作に対する応答を表示する表示灯に対して点灯指令を行い、前記操作釦が操作されて点灯指令を行った時に、前記表示灯の点灯／不点灯を検出する光検出手段の検出結果が不点灯であった場合に前記表示灯の不点灯の異常を報知する報知手段に不点灯の異常を報知させる報知指令を行うことを特徴とするエレベータの表示灯付操作釦の制御方法。
【発明の詳細な説明】
【技術分野】
【０００１】
この発明は、操作釦の操作による指示に対する応答を表示する表示灯の付いたエレベータの表示灯付操作釦制御装置等に関する。
【背景技術】
【０００２】
例えば、下記特許文献１には、かご内の操作盤上に取付けられた操作釦の操作の適否をエレベータの運転状態と対比して判定する判定手段と、この判定手段による判定結果が不適であるときその不適である理由に対応したガイドメッセージを作成する翻訳手段と、この翻訳手段によって得られたガイドメッセージをかご内の乗客に報知する報知装置とを備えたエレベータ装置が開示されている。
【０００３】
これにより、乗客が不適切な釦操作(例：運転方向と逆方向にある階に対しての呼び登録)を行った時、不適切であることを乗客に報知することができ、乗客は適切な操作をやり直すことができる。
【先行技術文献】
【特許文献】
【０００４】
【特許文献１】特開昭６２−１１６４８２号公報(第５頁、第２図)
【発明の概要】
【発明が解決しようとする課題】
【０００５】
しかしながら、適切な釦操作を行っている時には何も報知しないため、例えば行先階の呼び登録を行った時に、呼び登録の応答を示す表示灯が切れている場合には、乗客は行先階に止まるか不明のため、例えば何度も同じ釦を操作してしまうという問題があった。
【０００６】
この発明は、操作釦の応答を表示する表示灯の点灯／不点灯の検出を行い、点灯すべき時に不点灯であった場合には、別の報知手段にて応答の報知を行うエレベータの表示灯付操作釦制御装置等を提供することを目的とする。
【課題を解決するための手段】
【０００７】
この発明は、エレベータの乗場操作盤またはかご内操作盤に設けられエレベータに運転指示を行うために操作される操作釦と、前記操作釦の操作に対する応答を表示する表示灯と、前記表示灯の点灯／不点灯を検出する光検出手段と、前記表示灯の不点灯の異常を報知する報知手段と、前記操作釦が操作された時には前記表示灯に対して点灯指令を行い、前記操作釦が操作されて点灯指令を行った時に、前記光検出手段の検出結果が不点灯であった場合に前記報知手段に不点灯の異常を報知させる報知指令を行う制御手段と、を備えたことを特徴とするエレベータの表示灯付操作釦制御装置等にある。
【発明の効果】
【０００８】
この発明では、操作した操作釦の表示灯が点灯すべき時に不点灯であった場合においても、別の報知手段にて応答の報知を行うことで、何度も同じ操作釦を押すようなことがなくなる。
【図面の簡単な説明】
【０００９】
【図１】この発明によるエレベータの表示灯付操作釦制御装置の概略構成図である。
【図２】この発明による表示灯付操作釦や報知手段を備えたエレベータの各階の乗場操作盤またはかご内操作盤の付近の構成の一例を示す図である。
【図３】この発明による１つの表示灯付操作釦の構成の一例を示す図である。
【図４】この発明による制御手段の動作の一例を示す動作フローチャートである。
【発明を実施するための形態】
【００１０】
以下、この発明によるエレベータの表示灯付操作釦制御装置等を実施の形態に従って図面を用いて説明する。なお、同一もしくは相当部分は同一符号で示し、重複する説明は省略する。
【００１１】
実施の形態１．
図１はこの発明によるエレベータの表示灯付操作釦制御装置の概略構成図である。図２はこの発明による表示灯付操作釦や報知手段を備えたエレベータの各階の乗場操作盤またはかご内操作盤の付近の構成の一例を示す図である。図３はこの発明による１つの表示灯付操作釦の構成の一例を示す図である。
【００１２】
図１において、表示灯付操作釦群２００は、それぞれエレベータの各階の乗場操作盤およびかご内操作盤に設けられた複数の表示灯付操作釦からなり、各表示灯付操作釦はそれぞれ例えば図３に示す表示灯付操作釦２のような構成からなる。制御手段１００は例えばエレベータの制御盤からなり、制御用のコンピュータ等を含み得る。報知手段３００は音や表示等でエレベータの操作釦の操作に対する応答を報知するもので、図２に示す画像表示装置３ａ、スピーカー３ｂ等からなる。
【００１３】
図２において、この発明によるエレベータの各階の乗場操作盤またはかご内操作盤からなる操作盤１には複数の表示灯付操作釦２が設けられ、さらに画像表示装置３ａ、スピーカー３ｂ等の報知手段が設けられている。
【００１４】
図２の各表示灯付操作釦２はそれぞれ例えば図３に示す構成を有する。図３において、エレベータに運転指示を行うために操作される例えば押釦からなる操作釦５、操作釦５の操作に対する応答を表示するランプからなる表示灯６、および表示灯６の近隣に設けられ点灯／不点灯を検出する受光素子からなる光検出手段７は、互いに並列にかつ電源ＶＳとそれぞれ直列に接続され、後述するように制御手段１００は、操作釦５のグランド側の電位から操作の有無を判定し、表示灯６のグランド側の電位をグランドさせて点灯指令を行い、光検出手段７のグランド側の電位から点灯／不点灯を判定する。
【００１５】
操作釦５が操作されると、制御手段１００へ釦信号が入力され、例えば行先階登録が行われる。行先階登録をすると、制御手段１００から表示灯６を点灯させる点灯指令が出力され表示灯６が点灯する。表示灯６が点灯すると、光検出手段７で光が検知され制御手段１００へ受光信号が入力されて、表示灯６の点灯が検出できるようになっている。
【００１６】
図４は制御手段１００の動作を示す動作フローチャートであり、該動作フローチャートに従い動作を説明する。制御手段１００は例えば行先階釦である操作釦５が押されて図３の操作釦５のグランド側(電源ＶＳと反対側、以下同様)の電圧が上昇する釦信号が入力されると、操作釦５が押された(操作された)と判定し(ステップＳ１)、行先階登録を行い(ステップＳ２)、さらに表示灯６のグランド側を例えばスイッチＳＷを閉じてグランドに接続させる点灯指令を出力して表示灯６を点灯させる(ステップＳ３)。
【００１７】
次に行先階釦である操作釦５に対応する表示灯６の点灯を光検出手段７のグランド側の電圧変化である受光信号入力の変化で検出し(ステップＳ４)、点灯していれば動作を終了とする。また点灯していなければ、行先階登録されていることを表示灯６以外の報知手段３００である例えば図２に示す画像表示装置３ａ、スピーカー３ｂに報知指令を出力して映像出力あるいは音声出力させる(ステップＳ５)。
【００１８】
なお制御手段１００はステップＳ５で、該行先階登録に対する運転動作が終了するまでの間、操作釦５が操作されて操作釦５のグランド側の電圧が上昇する釦信号が入力される度に、報知手段３００に報知指令を出力して行先階登録されていることを報知させるようにしてもよい。制御手段１００は該行先階登録に対する運転動作が終了すると点灯指令出力を止めるため、スイッチＳＷが開放される。
【００１９】
また操作釦５は、例えば扉開用、扉閉用等の行先階以外の別の操作のための操作釦であっても、該操作のための同様の処理が行える。
【符号の説明】
【００２０】
１  操作盤、２  表示灯付操作釦、３ａ  画像表示装置(報知手段)、３ｂ  スピーカー(報知手段)、５  操作釦、６  表示灯、７  光検出手段、１００  制御手段、２００  表示灯付操作釦群、３００  報知手段、ＳＷ  スイッチ、ＶＳ  電源。
【図１】
2013227091.tif 000003
【図２】
2013227091.tif 000004
【図３】
2013227091.tif 000005
【図４】
2013227091.tif 000006